【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
２つの交互に操作される駆動部材（１６）、好ましくは足駆動ペダルを備えた手又は足で操作される駆動部を備えた固定エルゴメトリックエクササイズ装置であって、駆動部はギア機構部によりフライホイール（１８）に接続され、同様に駆動部を経由して加えられる駆動力及びそれに関するトルクの少なくとも１つを測定するための測定ユニット（５０）、並びに、駆動部の運動の位置、特に角位置を測定するための測定装置（３０）を備え、
前記装置は、運動を同期させるように駆動部に接続されたホイール（１９）を含み、前記測定装置（３０）は、前記ホイール（１９）に対して適所に配置された１組のセンサー装置を含み、前記ホイール（１９）は、動作の際にそれぞれ２つの特定の角度位置に配置されている場合に信号を生成し、前記運動の位置は、１８０°離れて配置され且つ前記交互に操作される駆動部材の間の負荷交代の位置に対応することを特徴とする固定エルゴメトリックエクササイズ装置。
【請求項２】
２つの交互に操作される駆動部材（１６）、好ましくは足駆動ペダルを備えた手又は足で操作される駆動部を備えた固定エルゴメトリックエクササイズ装置であって、駆動部はギア機構部によりフライホイール（１８）に接続され、並びに駆動部を経由して加えられる駆動力及びそれに関するトルクの少なくとも１つを測定するための測定ユニット（５０）、並びに、前記交互に操作される駆動部材の間の負荷交代を検出するための測定装置（３０）を備え、
前記装置は、運動を同期させるように駆動部に接続されたホイール（１９）を含み、前記測定装置（３０）は、１以上のセンサー（３１）及び１以上のセンサー部（３２）を含み、負荷交代の各点で、センサー（３１）及びセンサー部（３２）がホイール（１９）の幅方向に関して互いに対向して配置され且つセンサー（３１）及びセンサー部（３２）が互いに一列になるように配置され、ある１つの負荷交代点で前記ホイール（１９）の幅方向に互いに対向して配置されている前記センサー（３１）及びセンサー部（３２）が他の負荷交代点で互いに一列に位置し、並びに前記ある１つの負荷交代点で互いに一列にある前記センサー（３１）及びセンサー部（３２）が前記他の負荷交代点で前記ホイール（１９）の幅方向に互いに対向して配置されるように、センサー（３１）及びセンサー部（３２）は前記駆動部材の操作中に互いに関して移動可能であることを特徴とする固定エルゴメトリックエクササイズ装置。
【請求項３】
前記測定装置（３０）は、前記ホイール（１９）に取り付けられた１組のセンサー部（３２）及び前記ホイール（１９）に対して固定された位置に配置された少なくとも１つのセンサー（３１）を含み、
前記センサー部（３２）は、少なくとも１つのセンサー（３１）に対して前記ホイール（１９）とともに移動可能であり、前記ホイール（１９）が２つの特定の運動の角度位置のうちのそれぞれ１つに配置されている場合に、その運動の位置は、１８０°離れており、前記交互に操作される駆動部材の間の負荷交代の各点に対応し、前記駆動部の動作によりセンサー（３１）が通過するとき前記センサー部（３２）のそれぞれが検出されることを特徴とする請求項１又は請求項２に記載の固定エルゴメトリックエクササイズ装置。
【請求項４】
前記測定装置（３０）は、前記ホイール（１９）に対して固定された位置に配置された１組のセンサー（３１）及び前記ホイール（１９）に取り付けられた少なくとも１つのセンサー部（３２）を含み、
前記少なくとも１つのセンサー部（３２）は、前記センサー（３１）に対して前記ホイール（１９）とともに移動可能であり、前記ホイール（１９）が２つの特定の運動の角度位置のうちのそれぞれ１つで配置されている場合に、その運動の位置は、１８０°離れており、前記交互に操作される駆動部材の間の負荷交代の各点に対応し、前記駆動部の動作により前記センサー（３１）のそれぞれが通過するセンサー部（３２）を検出することを特徴とする請求項１又は請求項２に記載の固定エルゴメトリックエクササイズ装置。
【請求項５】
センサー部は磁石（３２）であり、且つセンサー（３１）は磁場センサーであることを特徴とする請求項３又は請求項４に記載の固定エルゴメトリックエクササイズ装置。
【請求項６】
駆動部を経由して加えられた駆動力を測定するための測定ユニット（５０）は、ギア機構の、摩擦機構、特にチェーンに、適用されたアームであり、そのアームは僅かに摩擦機構の横側を押圧し、前記測定ユニット（５０）は、摩擦機構により前記アームに加えられた回復力を測定するための測定センサー（５３）を含むことを特徴とする請求項１〜５のいずれか１つに記載の固定エルゴメトリックエクササイズ装置。
【請求項７】
評価装置（４０，４１）は、加えられた駆動力、及び／又はそれに関するトルクに関する測定ユニット（５０）からの信号を受信するように構成され、駆動力、及び／又は関連するトルクの時間的進展と、測定ユニット（５０）により伝達された信号を基に、それから導かれる変数とを計算する及び連続的に出力することを特徴とする請求項１〜６のいずれか１つに記載の固定エルゴメトリックエクササイズ装置。
【請求項８】
評価装置（４０，４１）は、前記交互に操作される駆動部材の間の負荷交代の回数を識別する測定装置（３０）からの信号を受信すること、並びに、前記測定装置（３０）によって識別された負荷交代の回数を使用して、測定装置（５０）により伝達された信号を基にして計算された変数をトレーニング中の人間の右又は左肢に交代に割り当てることにより構成されることを特徴とする請求項７に記載の固定エルゴメトリックエクササイズ装置。
【請求項９】
測定装置（５０）により伝達された信号を基に計算された変数は、測定装置（３０）により識別される右又は左肢それぞれへの負荷交代の回数を基にした出力であることを特徴とする請求項７又は請求項８に記載の固定エルゴメトリックエクササイズ装置。
【請求項１０】
フライホイール（１８）は、空気抵抗により作用し且つ電磁気的作用ブレーキ（２０）に接続されたブレーキ装置を含むことを特徴とする請求項１〜９のいずれか１つに記載の固定エルゴメトリックエクササイズ装置。
【請求項１１】
空気抵抗により作用するブレーキ装置が、フライホイール（１８）の動きの結果として動かされる空気の量を調節するための手段（１５ａ、１５ｂ）を有するハウジング中に配置されていることを特徴とする請求項１０に記載の固定エルゴメトリックエクササイズ装置。
【請求項１２】
ハウジングが開口部（１５ａ、１５ｂ）を有し、その寸法及び／又はその空気透過性が変更可能であり、且つそれによりハウジングを通過する空気の流れが調節可能であることを特徴とする請求項１１に記載の固定エルゴメトリックエクササイズ装置。
【請求項１３】
空気抵抗により作用するブレーキ装置が、フライホイールに回転的に固定される方法で接続されているパドルホイール（２１）であることを特徴する請求項１０〜１２のいずれか１つに記載の固定エルゴメトリックエクササイズ装置。
【請求項１４】
パドルホイール（２１）が、回転軸に平行に配置された複数のパドルブレードを有することを特徴とする請求項１３に記載の固定エルゴメトリックエクササイズ装置。
【請求項１５】
請求項１〜１４のいずれか１つに記載された固定エルゴメトリックエクササイズ装置でトレーニング中の人のパフォーマンスを評価する方法であって、
（ｉ）  前記駆動部材を経由して加えられた駆動力及び／又はそれに関するトルクを測定するステップと；
（ｉｉ）  前記交互に操作される駆動部材の間の負荷交代の回数を検出するステップと；
（ｉｉｉ）  ステップ（ｉ）及び（ｉｉ）で得られた測定を基にして、駆動力及び／又は関連のトルクの時間的な進行、及びそれから導かれる変数を計算し、連続的に出力するステップと
を含む方法。
【請求項１６】
さらに、
（ｉｖ）  ステップ（ｉｉｉ）で計算された変数を、ステップ（ｉｉ）で検出された負荷交代の回数に応じてトレーニング中の人の右又は左足に交互に、分けるステップを含むことを特徴とする請求項１５に記載された方法。
【請求項１７】
駆動部材の角速度は、ステップ（ｉｉ）で検出された負荷交代の回数を基にして計算されることを特徴とする請求項１５又は請求項１６に記載された方法。
【請求項１８】
駆動部材の角速度は、駆動部材の回転の角度に対する駆動力を示す極表示での負荷交代点の間の駆動部材の運動の位置を決定するために使用されることを特徴とする請求項１７に記載の方法。